(57)【要約】【課題】義歯を測色装置に対して適切な位置に安定して保持することができる歯科用測色治具を提供する。【解決手段】測色装置にて測色するべき義歯５０からの光を取り込むための開口部に対向して設置される歯科用測色治具６０において、上記測色装置側の係合部と相対する係合部６３ａ，６４ａを有する少なくとも一対のガイドポスト６３，６４と、一対のガイドポスト６３，６４の間に配置され、義歯５０が装着可能な尖鋭凸部形状を備えた支台ポスト６２とを備え、支台ポスト６２には撮影状態で上記測色装置のピント位置近傍となる測色光軸方向の測色基準面６２ａが設けられており、測色撮影に際して義歯５０は、その前面部５０ａが測色基準面６２ａ上に位置するように支台ポスト６２に装着される。【選択図】図１
2009160086.tif 000002
【特許請求の範囲】
【請求項１】
測色装置にて測色するべき義歯からの光を取り込むための開口部に対向して設置される歯科用測色治具において、
上記測色装置側の係合部と相対する係合部を有する少なくとも一対のガイドポストと、
上記一対のガイドポストの間に配置され、上記義歯が装着可能な形状を備えた支台ポストと、
を備え、上記支台ポストには上記測色装置の測色光軸方向の測色基準面が設けられていることを特徴とする歯科用測色治具。
【請求項２】
上記ガイドポストには、上記測色光軸と直交する方向のうち上記支台ポストの長手方向における測色基準面が設けられていることを特徴とする請求項１記載の歯科用測色治具。
【請求項３】
さらに、上記測色光軸方向における測色基準面を有する着脱可能な基準プレートを有することを特徴とする請求項１記載の歯科用測色治具。
【請求項４】
上記基準プレートは、さらに、上記測色光軸と直交する方向のうち上記支台ポストの長手方向における測色基準面を有することを特徴とする請求項３記載の歯科用測色治具。
【請求項５】
上記支台ポストは、上記基準プレートと嵌合することにより、該基準プレートの位置決めを行うものであることを特徴とする請求項２乃至４のいずれかに記載の歯科用測色治具。
【請求項６】
上記基準プレートは、磁性体で構成され、
上記支台ポストおよび上記支台プレートには、磁石が配されており、
上記基準プレートは、磁力によって上記支台ポストおよび上記支台プレートが密着されることにより位置決めされるものであることを特徴とする請求項２乃至４のいずれかに記載の歯科用測色治具。
【請求項７】
上記基準プレートは、上記支台プレートに回動可能に取り付けられたことを特徴とする請求項２乃至４のいずれかに記載の歯科用測色治具。
【請求項８】
上記基準プレートは、支台プレートに対する回動を可能とする回動支持部を有し、
該回動支持部は、二方向回動付勢手段付きヒンジ部で形成されていることを特徴とする請求項７記載の歯科用測色治具。
【請求項９】
上記測色光軸方向における測色基準面を有し、かつ、上記支台プレートに対して上記測色光軸と直交する方向のうち上記支台ポストの長手方向に移動可能に取り付けられている基準プレートを備えていること特徴とする請求項１記載の歯科用測色治具。
【請求項１０】
上記支台ポストは、上記測色光軸方向に移動可能であり、
上記基準プレートは、義歯の上記測色光軸と直交する方向のうち上記支台ポストの長手方向における測色基準面を有することを特徴とする請求項２乃至９のいずれかに記載の歯科用測色治具。
【請求項１１】
上記支台ポストは、該支台ポストの義歯装着部が上記測色光軸方向に移動可能なように回動可能に支持され、
上記基準プレートは、上記測色光軸方向の測色基準面と、装着された上記義歯の測色光軸と直交する方向のうち上記支台ポストの長手方向における測色基準面とを有することを特徴とする請求項２乃至９のいずれかに記載の歯科用測色治具。
【請求項１２】
上記支台ポストは、該支台ポストの義歯装着部が上記測色光軸方向に移動可能なようにポスト台により回動可能に支持され、
さらに、上記ポスト台には、該支台ポストの回動範囲を規制するストッパが設けられれており、
上記基準プレートには、上記測色光軸方向の測色基準面と、上記測色光軸と直交する方向のうち上記支台ポストの長手方向における測色基準面とが設けられていることを特徴とする請求項２乃至９のいずれかに記載の歯科用測色治具。
【請求項１３】
上記一対のガイドポストと上記測色光軸に対する奥行き方向に移動可能な上記支台ポストとからなるユニットを複数備え、該複数ユニットが回転位置決め機能付き回転プレートに配置されていることを特徴とする請求項２乃至９のいずれかに記載の歯科用測色治具。
【請求項１４】
請求項１記載の歯科用測色治具と、
上記歯科用測色治具に装着された上記義歯の測色撮影状態にて外光を遮光するために上記歯科用測色治具を収容する暗箱と、
を備える歯科用測色治具システム。
【請求項１５】
請求項１記載の歯科用測色治具と、
該歯科用測色治具による義歯の測色撮影状態にて外光を遮光するために上記歯科用測色治具を収容する暗箱と、
上記歯科用測色治具に装着された上記義歯の測色を行うための上記測色装置と、
を備える歯科測色システム。
【発明の詳細な説明】
【技術分野】
【０００１】
本発明は、測色装置により義歯の測色を行う際に上記義歯が装着される歯科用測色治具、および、該歯科用測色治具と暗箱とからなる歯科用測色治具システム、さらに、測色装置を含む歯科測色システムに関する。
【背景技術】
【０００２】
従来、歯科技工所にて製作された義歯の色合いを確認するために歯科用測色装置（測色用カメラ）を用いて測色のための撮影（測色撮影）が行われる場合がある。撮影時、被測定物である義歯を上記測色装置の撮影窓の開口部に位置させた状態で撮影が行われる。
【０００３】
撮影時に上記義歯を上記測色装置の撮影窓の開口部に位置させるものとして、例えば、特許文献１に開示されている義歯装着台を適用することができる。
【０００４】
図３８は、測色用カメラ２０１により特許文献１に開示された義歯装着台２０３を用いて義歯２０３ａの測色（撮影）を行う状態を示す図である。義歯２０３ａが装着される義歯装着台２０３は、マグネット２０５により支持台２０２に固定支持され、該支持台２０２は、マグネット２０４によりテーブル２０６に固着される。測色用カメラ２０１は、撮影者によって義歯２０３ａの前方の位置に保持され、撮影が行われる。
【特許文献１】米国特許６，５４０，５１３号公報
【発明の開示】
【発明が解決しようとする課題】
【０００５】
しかし、上述した特許文献１に開示された義歯装着台２０２を用いて義歯の測色を行った場合、上記義歯装着台２０２に装着された上記義歯２０３ａに対して測色用カメラ２０１の撮影部２０１ａを適切な位置（義歯２０３ａと測色用カメラ２０１の間隔ｄ０ ）、姿勢で保持するための基準となるものもなく、上記測色用カメラ２０１を測色に適した位置に安定して保持することが困難である。従って、精度のよい測色データを得ることができない。
【０００６】
本発明は、上述の問題を解決するためになされたものであり、義歯を測色装置に対して適切な位置に安定して保持することができる歯科用測色治具、または、該歯科用測色治具が装着される暗箱を含む歯科用測色治具システム、または、該歯科用測色治具システムと測色装置とからなる歯科測色システムを提供することを目的とする。
【課題を解決するための手段】
【０００７】
本発明の請求項１記載の歯科用測色治具は、測色装置にて測色するべき義歯からの光を取り込むための開口部に対向して設置される歯科用測色治具において、上記測色装置側の係合部と相対する係合部を有する少なくとも一対のガイドポストと、上記一対のガイドポストの間に配置され、上記義歯が装着可能な形状を備えた支台ポストと、を備え、上記支台ポストには上記測色装置の測色光軸方向の測色基準面が設けられている。
【０００８】
本発明の請求項２記載の歯科用測色治具は、請求項１記載の歯科用測色治具において、上記測色光軸と直交する方向のうち上記支台ポストの長手方向における測色基準面が設けられている。
【０００９】
本発明の請求項３記載の歯科用測色治具は、請求項１記載の歯科用測色治具において、さらに、上記測色光軸方向における測色基準面を有する着脱可能な基準プレートを有する。
【００１０】
本発明の請求項４記載の歯科用測色治具は、請求項３記載の歯科用測色治具において、上記基準プレートは、さらに、上記測色光軸と直交する方向のうち上記支台ポストの長手方向における測色基準面を有する。
【００１１】
本発明の請求項５記載の歯科用測色治具は、請求項２乃至４に記載の歯科用測色治具において、上記支台ポストは、上記基準プレートと嵌合することにより、該基準プレートの位置決めを行うものであることが可能である。
【００１２】
本発明の請求項６記載の歯科用測色治具は、請求項２乃至４に記載の歯科用測色治具において、上記基準プレートは、磁性体で構成され、上記支台ポストおよび上記支台プレートには、磁石が配されており、上記基準プレートは、磁力によって上記支台ポストおよび上記支台プレートが密着されることにより位置決めされるものである。
【００１３】
本発明の請求項７記載の歯科用測色治具は、請求項２乃至４に記載の歯科用測色治具において、上記基準プレートは、上記支台プレートに回動可能に取り付けられている。
【００１４】
本発明の請求項８記載の歯科用測色治具は、請求項７に記載の歯科用測色治具において、上記基準プレートは、支台プレートに対する回動を可能とする回動支持部を有し、該回動支持部は、二方向回動付勢手段付きヒンジ部で形成されている。
【００１５】
本発明の請求項９記載の歯科用測色治具は、請求項１に記載の歯科用測色治具において、上記測色光軸方向における測色基準面を有し、かつ、上記支台プレートに対して上記測色光軸と直交する方向のうち上記支台ポストの長手方向に移動可能に取り付けられている基準プレートを備えている。
【００１６】
本発明の請求項１０記載の歯科用測色治具は、請求項２乃至９のいずれかに記載の歯科用測色治具において、上記支台ポストは、上記測色光軸方向に移動可能であり、上記基準プレートは、義歯の上記測色光軸と直交する方向のうち上記支台ポストの長手方向における測色基準面を有する。
【００１７】
本発明の請求項１１記載の歯科用測色治具は、請求項２乃至９のいずれかに記載の歯科用測色治具において、上記支台ポストは、該支台ポストの義歯装着部が上記測色光軸方向に移動可能なように回動可能に支持され、上記基準プレートは、上記測色光軸方向の測色基準面と、装着された上記義歯の測色光軸と直交する方向のうち上記支台ポストの長手方向における測色基準面とを有する。
【００１８】
本発明の請求項１２記載の歯科用測色治具は、請求項２乃至９のいずれかに記載の歯科用測色治具において、上記支台ポストは、該支台ポストの義歯装着部が上記測色光軸方向に移動可能なようにポスト台により回動可能に支持され、さらに、上記ポスト台には、該支台ポストの回動範囲を規制するストッパが設けられれており、上記基準プレートには、上記測色光軸方向の測色基準面と、測色光軸と直交する方向のうち上記支台ポストの長手方向における測色基準面とが設けられている。
【００１９】
本発明の請求項１３記載の歯科用測色治具は、請求項２乃至９のいずれかに記載の歯科用測色治具において、上記一対のガイドポストと上記測色光軸に対する奥行き方向に移動可能な上記支台ポストとからなるユニットを複数備え、該複数ユニットが回転位置決め機能付回転プレートに配置されている。
【００２０】
本発明の請求項１４記載の歯科用測色治具システムは、請求項１記載の歯科用測色治具と、上記歯科用測色治具に装着された上記義歯の測色撮影状態にて外光を遮光するために上記歯科用測色治具を収容する暗箱とを備えている。
【００２１】
本発明の請求項１５記載の歯科測色システムは、請求項１記載の歯科用測色治具と、該歯科用測色治具に装着された義歯の測色撮影状態にて外光を遮光するために上記歯科用測色治具を収容する暗箱と、上記歯科用測色治具に装着された上記義歯の測色を行うための上記測色装置とを備えている。
【発明の効果】
【００２２】
本発明によれば、義歯を測色装置に対して適切な位置に安定して保持することができる歯科用測色治具、または、該歯科用測色治具が装着される暗箱を含む歯科用測色治具システム、または、該歯科用測色治具システムと測色装置とからなる歯科測色システムを提供することができる。
【発明を実施するための最良の形態】
【００２３】
以下、図を用いて本発明の実施形態について説明する。
【００２４】
図１は、本発明の第一の実施形態の歯科用測色治具システムを構成する歯科用測色治具および測色用暗箱（暗箱本体の一部のみを示す）の分解斜視図である。図２は、図１の歯科用測色治具の正面図（測色光軸方向からみた図）である。図３は、図２の下面図である。図４は、図２の側面図である。図５は、上記暗箱の分解斜視図である。図６は、図１の歯科用測色治具システムを用いて義歯の測色を行うための歯科測色システムを構成する歯科用測色装置のカメラの斜視図である。図７は、上記カメラに歯測定用コンタクトキャップを被せた状態の側面図である。図８は、図７のコンタクトキャップの斜視図である。図９は、図７のコンタクトキャップの測色光軸に沿った縦断面図であり、図１０は、図９のＡ0 −Ａ0 断面図である。図１１は、図１の歯科用測色治具に義歯を取り付けた義歯位置調整状態を示す測色光軸に沿った断面図である。図１２は、図１１に示した義歯取り付け状態の歯科用測色治具を暗箱の装着し、その後、上記歯科用測色装置のカメラ先端部を上記歯科用測色治具に嵌め込む直前の側面図である。図１３は、上記カメラ先端部が上記歯科用測色治具に嵌め込まれた状態（測色撮影可能な状態）での側面図である。図１４は、上記カメラ先端部を上記歯科用測色治具に嵌め込んだ状態（測色撮影可能な状態）の拡大断面図である。図１５は、図１４のＡ1 −Ａ1 断面図であって、上記コンタクトキャップと上記歯科用測色治具との嵌め込み状態を示す。
【００２５】
本実施形態の歯科用測色治具システムは、歯科用測色治具である測色治具６０（図１，２）と、該測色治具を収容する測色用の暗箱６５（図５）と、基準プレート７３とを備えている。ここで、測色治具６０は、歯科技工所で製作された義歯５０を装着した状態で、暗箱６５に挿入可能に構成されている。また、該義歯５０の表面の色は、測色治具６０を暗箱６５に挿入させた状態で、歯科用測色装置であるカメラ２（図６）により撮影される。カメラ２から出力された義歯の撮影データは、義歯５０の測色データの算出に用いられる。この測色データの算出により、義歯５０の正確な色が測定される。
【００２６】
義歯５０は、所謂、クラウン状の差し歯であり、金属冠の表面にセラミックスを積層したタイプ、あるいは、金属冠を使用しないオールセラミッククラウンが適用され、治療により形成された生活歯の支台（特に前歯用）、あるいは、金属の支台に被せて固着されるものである。
【００２７】
義歯５０は、図１２，１３，１４に示すように測色治具６０に取り付けられ、外光を遮光するために測色治具６０は暗箱６５に収納され、コンタクトキャップ３１が装着されたカメラ２に対して位置決めされる。位置決め後、カメラ２により義歯５０の表面が撮影され、撮影画像により測色データが取得され、該義歯５０の色合いが判定される。
【００２８】
上記測色治具６０および暗箱６５の構成および義歯５０の取り付け方法の詳細については、後で説明し、まず、カメラ２について説明する。
【００２９】
上記カメラ２は、クレードル（図示せず）とともに歯科用歯測定（撮影）装置であるＨＭＳＣ装置（Handy Multi-Spectral Camera）を構成する撮影装置であり、特開２００７−１６７１４２号公報にその詳細が示されている。
【００３０】
上記ＨＭＳＣ装置においては、カメラ２を上記クレードルに装着し、充電を行った後、カメラ２をクレードルから外し、コンタクトキャップ３１（図８）を取り付けた状態で測色治具６０に装着された生活歯、または、義歯等の測色を行うための測色撮影が行われる。撮影後、カメラ２は、再び上記クレードルに装着され、各撮影画像データがＵＳＢを介してパーソナルコンピュータ側に転送される。該パーソナルコンピュータでは、各種の画像処理が実行され、生活歯、または、義歯の表面の色合いの判定がなされる。
【００３１】
カメラ２には図６，１４に示すようにカメラ本体のトップカバー１２内側に複数のＬＥＤからなるＬＥＤ照明系１７と、撮影光軸、即ち、測色光軸（以下、光軸Ｏと記載する）を有するフォーカシング可能な撮影光学系１８と、カラーＣＣＤを内蔵する撮像部１９とが配されている。
【００３２】
なお、以下の説明において光軸Ｏに対してカメラおよびコンタクトキャップ（後述）における光軸Ｏ方向の被写体側（被測定歯，義歯側）を前方とし、撮像部（カメラ側）側を後方とする。カメラ、コンタクトキャップに取り付けられる測色治具の前後方向は、カメラ側（上記カメラの後方側）と、その反対側を反カメラ側（上記カメラの前方側）として説明する。また、図中、カメラ２およびコンタクトキャップ３１の光軸Ｏと直交する方向であって、後述する支台ポスト６２の長手方向（上下方向）をＹ方向とし、光軸ＯおよびＹ方向のいずれとも直交する方向（左右方向）をＸ方向とする。なお、他の実施形態についても同様の記載を行う。
【００３３】
さらに、トップカバー１２には、図６に示すように前方中央の開口部である撮影窓部１２ａとその両側に照明光窓部１２ｂとが配され、後方両側端部には、コンタクトキャップ３１を係止するための係止突起１２ｆが配される。上方部には、ピント位置調節のためのフォーカスリング１３が配されている。そして、トップカバー１２の外部には、測色撮影実行時に被測定歯、例えば、生活歯や義歯５０を位置決めし、外光を遮光するためのコンタクトキャップ３１が図７に示すような状態で装着される。
【００３４】
コンタクトキャップ３１は、黒色の伸縮自在な合成樹脂ゴム、例えば、スチレン系エラストマなどの素材からなる薄肉キャップ形状を有する部材であり、カメラ２のトップカバー１２の前方に被せて使用される（図７）。
【００３５】
コンタクトキャップ３１には図８，９に示すように前面部にトップカバー１２を覆うように装着されるキャップ部３１ｐと、該キャップ部前面側であって、装着状態で撮影光学系１８前方の光軸Ｏ中心位置に配される撮影用窓部である中央開口部３１ａと、該開口部３１ａの上辺を形成する前面上辺部３１ｋと、該開口部３１ａの下側部に光軸Ｏ方向前方に突出する状態で配される突起部としてのバイト部３１ｅと、前記開口部３１ａの左右辺部を形成し、可撓性を有する膜状の壁部３１ｊと、光軸Ｏ方向と平行にキャップ部３１ｐの左右後方に延出する２つの延出部３１ｂとが設けられる。
【００３６】
なお、キャップ部３１ｐの内面は、反射防止のために梨地面となっている。また、キャップ部３１ｐの内面の形状は、上下、左右対称形状を有しており、トップカバー１２に対して上下逆さま状でも装着可能である。
【００３７】
コンタクトキャップ３１の中央開口部３１ａの大きさは、左右幅寸法がおよそ１６ｍｍであり、上下寸法がおよそ１４ｍｍ（バイト部の上辺部３１ｆまでの寸法であり、バイト部の凹面部３１ｉまでは１６ｍｍ）とする。この大きさは、撮影対象の被測定歯として例えば、一般の大人の門歯（義歯５０を含む）の大きさの上限をおよそ１０mm正方として、さらに、それに隣接する歯も部分的に含む大きさである。
【００３８】
コンタクトキャップ３１のバイト部３１ｅは、開口部３１ａの下側に配され、光軸Ｏと平行に前方に突出するチャンネル形状（溝型状）、または、Ｕ字断面形状を有している。このバイト部３１ｅは、凹面部３１ｉと、左右のチャンネル上辺を形成し、凹面部３１ｉから立ち上がった噛み込み部としての左右の上辺部３１ｆ、および、前方延長部である左右の上辺部３１ｇとを有し、さらに、被測定歯（義歯５０を含む）の光軸Ｏ方向の位置決めのために上辺部３１ｆ上、左右に配される位置決め部（係合部）である柱状凸部３１ｈとを有している。
【００３９】
コンタクトキャップ３１の壁部３１ｊは、光軸Ｏを中心とする半径Ｒ0 の円筒内周面上に配される。上記半径Ｒ0 は、一般的な患者の門歯周りの歯列から設定されている。そして、上記円筒内周面の光軸Ｏとの交点Ｐａと、柱状凸部３１ｈの後端面と離間距離Ｋａとすると、カメラ２の撮影光学系１８のベストピント位置Ｐ0 は、上記交点Ｐａの近傍の前側に位置し、該ベストピント位置Ｐ0 と柱状凸部３１ｈの後端面（カメラ側）との離間距離Ｋｂとすると、Ｋｂ＜Ｋａである（図１０）。
【００４０】
被測定歯が門歯である場合、バイト部３１ｅを門歯で噛み込むことによって該被測定歯の位置決めがなされる。すなわち、撮影時に門歯に対して反対側の下歯をバイト部３１ｅの下面に当て、同時に柱状凸部３１ｈの後面側（患者側からみて前方側）に門歯の両側に隣接する隣接歯を上方から挿入し、該隣接歯の内面を柱状凸部３１ｈの後面に当て付けて上辺部３１ｆを軽く噛み込む。この噛み込み状態で開口部３１ａの中央部にて門歯は、光軸Ｏ方向の位置決めがなされ、カメラ２の撮影光学系１８のベストピント位置（歯の形状差により多少ずれる）の近傍に位置する。
【００４１】
被測定歯が義歯５０である場合、測色治具６０を介して義歯５０を保持し、位置決めすることから義歯５０の前面（カメラ側）を上記ベストピント位置Ｐ0 近傍に位置させて撮影を行うことができる。その位置決め方法については、後で説明する。なお、その他のコンタクトキャップ３１の寸法形状については、特開２００７−１６７１４２号公報に記載されている。
【００４２】
ここで、測色されるべき義歯５０と本実施形態の歯科用測色治具システムを構成する測色治具６０、基準プレート７３および暗箱６５の詳細について、図１〜５，１１を用いて説明する。
【００４３】
義歯５０は、図１，１１に示すように、その内部に形成され、かつ上記支台が挿入される凹部５０ｃを有しており、外表前面部（測色撮影状態のカメラ２側）５０ａおよび下端側の切縁部５０ｂが形成されている。
【００４４】
測色治具６０は、図１に示すように平板状の支台プレート６１と、支台プレート６１の下面側にＹ方向（上下方向）に起立し、Ｘ方向（左右方向）に所定距離離間して配される一対のガイドポスト６３，６４と、支台プレート６１の下面側にＹ方向に起立し、一対のガイドポスト６３，６４の間に配される支台ポスト６２とを有している。
【００４５】
支台プレート６１には、暗箱６５に対する装着用ねじ穴６１ａが設けられている。
【００４６】
一対のガイドポスト６３，６４にはそれぞれの先端部にカメラ２に取り付けたコンタクトキャップ３１に対する係合部であって、Ｙ方向位置決め用の測色基準面を有する凸部６３ａ，６４ａが設けられている。なお、ガイドポスト６３，６４は、支台プレート６１に対してビスにより固着されおり、固着位置の微調整が可能である。
【００４７】
支台ポスト６２には根元部（カメラ側）に形成される、光軸方向位置決め用の測色基準面となる当接面６２ａと、測色撮影状態にて中心が光軸Ｏ上に位置する義歯装着部としての尖鋭状凸部６２ｂとが設けられている。なお、支台ポスト６２も支台プレート６１に対してビスにより固着されており、固着位置の微調整が可能である。
【００４８】
ガイドポスト６３，６４の凸部６３ａ，６４ａは、反カメラ側端面が図３に示すように光軸Ｏ上を中心とする半径Ｒ1 の円弧上に沿った形状を有している。また、凸部６３ａと６４ａとのＸ方向の位置は、コンタクトキャップ３１の２つの柱状凸部３１ｈの間隔に対応している。
【００４９】
支台ポスト６２の尖鋭状凸部６２ｂの中心は、上記半径Ｒ1 の円弧の光軸Ｏ上に位置する。
【００５０】
測色治具６０は、測色撮影時にカメラ２側のコンタクトキャップ３１のバイト部３１ｅに当接させて装着されるが、その装着状態では、図１４，１５に示すようにガイドポスト６３，６４の凸部６３ａ，６４ａは、コンタクトキャップ３１の２つの柱状凸部３１ｈの後端面（カメラ側）に当接するようにして位置決めされる。凸部６３ａ，６４ａが配される円弧の半径Ｒ1 は、コンタクトキャップ３１の壁部３１ｊが形成される円筒面の半径Ｒ0 よりも小さい。
【００５１】
基準プレート７３は、直方体形状を有し、光軸方向位置決め用の測色基準面７３ａと、Ｙ方向位置決め用の測色基準面７３ｂとを有している。
【００５２】
暗箱６５は、図５に示すように暗箱本体６６と、遮光枠６７とからなり、暗箱本体６６は、測色治具６０が挿入される開口部６６ｃが設けられ、その前面（カメラ側）にスポンジ枠６６ａが固着されている。暗箱本体６６の上面部には測色治具固定用ネジツマミ６８が配され、側面部には遮光枠固定用のネジツマミ６９が配されている。
【００５３】
遮光枠６７は、開口部６７ｂを有するスポンジ製の枠体６７ａと、切り欠き部６７ｃ，６７ｄを有している。ここで、切り欠き部６７ｃは、遮光枠６７が測色治具固定用ネジツマミ６８と干渉しないようにするために設けられている。また、切り欠き部６７ｄは、遮光枠６７の両側面部において、遮光枠固定用のネジツマミ６９と嵌合するように、それぞれ配置されている。このような構成において、遮光枠６７は、スポンジ枠６６ａに被さるようにして暗箱本体６６側に結合され、切り欠き部６７ｄと嵌合した遮光枠固定用ネジツマミ６９を回すことにより暗箱本体６６に固定される。
【００５４】
上述した構成を有する歯科用測色治具システムにおいて、義歯５０は、凹部５０ｃにワックス５１を充填した状態で測色治具６０の支台ポスト６２の凸部６２ｂに差し込まれる。そこで、測色治具６０の支台ポスト６２の当接面６２ａに、基準プレート７３の測色基準面７３ａが当て付けられ、かつ、基準プレート７３の長手方向上端が支台プレート６１に当接される（図１１）。この当接状態では、測色基準面７３ｂの位置は、ガイドポスト６３，６４の凸部６３ａ，６４ａの端面と同一面上に位置する。
【００５５】
上記基準プレート７３の当て付け状態を手で保持しながら測色治具６０に対する義歯５０の相対位置を調整する。すなわち、義歯５０の前面部（カメラ側）５０ａを基準プレート７３の測色基準面７３ａと当接させ、かつ、義歯５０の切縁部５０ｂを基準プレート７３の測色基準面７３ｂに一致するように義歯５０の光軸Ｏ方向位置および上下位置を微調整をする（図１１）。
【００５６】
上述のように義歯５０の位置調整がなされた測色治具６０は、暗箱６５の本体６６の内部にＤ0 方向に挿入され（図１）、ネジツマミ６８を回して固着される。さらに、本体６６の前方（カメラ側）には、遮光枠６７が装着され、ネジツマミ６９を回すことにより、本体６６と遮光枠６７とが一体化される。
【００５７】
測色治具６０が収容された暗箱６５に対して遮光枠開口部６７ａからコンタクトキャップ３１が装着されたカメラ２の先端部を挿入する。その挿入方法は、図１２，１３に示されるようにまず、コンタクトキャップ３１の先端のバイト部３１ｅをやや下向きの傾け、Ｄ21方向に遮光枠開口部６７ａに挿入する（図１２）。そのとき、義歯５０をバイト部３１ｅで掬い上げるようにして挿入する。そこで、カメラ２の先端部をＤ22方向に回転させると（図１３）、図１４，１５に示すように測色治具６０のガイドポスト６３，６４の凸部６３ａ，６４ａがコンタクトキャップ３１の柱状凸部３１ｈに当接する状態で、かつ、凸部６３ａ，６４ａの先端面と義歯５０の切縁部５０ｂとがコンタクトキャップ３１の上辺部３１ｆに当接する状態とする。この当接状態が測色治具６０のカメラ２およびコンタクトキャップ３１に対する撮影セット状態である。
【００５８】
上記撮影セット状態にあるとき、支台ポスト６２の当接面６２ａ（言い換えると基準プレート測色基準面７３ａの位置）の位置は、上記撮影セット状態にてカメラ２の光軸Ｏ方向のベストピンチ位置Ｐ0 近傍となる光軸方向測色基準面Ｓ0 に一致する。さらに、ガイドポスト６３，６４の凸部６３ａ，６４ａの端面（言い換えると基準プレート測色基準面７３ｂの位置）は、カメラ２の撮影画角の良好な撮影画像が得られる範囲となるＹ方向（上下方向）測色基準面Ｓ1 に一致する。なお、上記カメラの光軸方向測色基準面Ｓ0 は、光軸Ｏと直交する平面であり、Ｙ方向（上下方向）測色基準面Ｓ1 は、光軸Ｏに対して平行な平面である。
【００５９】
撮影者は、上述した測色治具６０とカメラ２との相対的な撮影セット状態でカメラ２を保持し、測色撮影を行う。上記撮影セット状態では、義歯５０がカメラ２の撮影窓部１２ａ（コンタクトキャップ３１の開口部３１ａ）に対して撮影上、適切な位置に安定的に位置している。詳しくは、上述したように撮影セット状態にて義歯５０の前面部（カメラ側）５０ｂは、ＹＸ平面上の光軸Ｏ上、カメラ２の光軸方向基準面Ｓ0 上に位置し、カメラ２のベストピント位置Ｐ0に近いところ、言い換えると、撮影光学系１８の被写界深度の範囲にある。同時に義歯５０の切縁部５０ｂは、カメラ２のＹ方向（上下方向）測色基準面Ｓ1 に位置し、義歯５０全体がコンタクトキャップ３１の開口部３１ａ内、言い換えると、カメラトップカバー１２の撮影窓部１２ａ内の撮影範囲内に位置する（図１４）。
【００６０】
また、上記撮影セット状態では義歯５０の周囲の外光は、暗箱６５により遮光された状態に保持される。
【００６１】
上述した測色治具６０とカメラ２とのセット状態のもとでカメラ２による測色撮影を行う。撮影時、撮影者は、カメラ２を手でホールドし、ＬＣＤ表示部（図示せず）上の義歯５０の被写体像を観察しながらフォーカスリング１３（図６）を回動操作することにより所望の撮影位置合わせを行った上で、操作スイッチ釦（図示せず）を操作して撮影を行う。この撮影によって義歯５０の測色のための撮影画像データが得られる。
【００６２】
上述したように本実施形態の歯科用測色治具システムを適用した場合、基準プレート７３を用いて義歯５０の測色治具６０に対する位置調整を行う際、装着状態の基準プレート７３の測色基準面７３ａおよび７３ｂに義歯５０の前面部５０ａおよび切縁部５０ｂを位置合わせすることによって該前面部５０ａをカメラ２のベストピント位置Ｐ0 近傍に、該切縁部５０ｂを含む義歯全体を良好な撮影画像が得られる画角内に確実に位置させて測色撮影を行うことができる。同時に暗箱６５を用いることによって外光を確実に遮光し、良好な測色撮影データを得ることができる。
【００６３】
次に、本発明の第二の実施形態である歯科用測色治具システムを構成する測色治具について、図１６を用いて説明する。図１６は、本実施形態の測色治具にて支台プレートと支台ポストに基準プレートを密着させた状態（義歯位置調整状態）を示す光軸に沿った断面図である。
【００６４】
本実施形態の測色治具８０は、第一実施形態における測色治具６０に対して支台プレートと支台ポストに基準プレートが磁力により密着できるように構成した点が異なっている。その他の構成、すなわち、支台プレート、一対のガイドポストなどは、測色治具６０と同様のものが設けられ、暗箱も第一の実施形態の暗箱６５と同様のものを適用する。以下、異なる部分についてのみ説明する。
【００６５】
測色治具８０は、図１６に示すように支台プレート８１のＹ方向に起立する支台ポスト８２を有しており、義歯位置調整用部材として支台プレート８１の下面と支台ポスト８２のカメラ側前面の当接面８２ａに密着可能な基準プレート８３が用意されている。
【００６６】
本実施形態の測色治具８０の支台ポスト８２にも測色治具６０と同様に根元部（カメラ側）に形成される、光軸方向位置決め用の測色基準面となる当接面８２ａと、測色撮影状態にて中心が光軸Ｏ上に位置する義歯装着部としての尖鋭状凸部８２ｂとが設けられている。当接面８２ａにはマグネット８５が埋め込まれている。支台プレート８１の下面上であって、支台ポスト８２の前側にもマグネット８４が埋め込まれている。
【００６７】
基準プレート８３は、磁性体からなり、光軸方向の測色基準面８３ａと、Ｙ方向の測色基準面８３ｂとを有している。基準プレート８３を測色治具８０の支台プレート８１下面および支台ポスト８２の当接面８２ａに当て付けると、マグネット８４，８５によって密着され、基準プレート８３の測色基準面８３ａが当接面８２ａに密着し、かつ、測色基準面８３ｂがガイドポストの凸部（図示せず）の端面と一致する状態となる。この基準プレートが密着状態のとき、測色基準面８３ａと測色基準面８３ｂとは、それぞれ上記撮影セット状態でカメラ側の光軸方向基準面Ｓ0 およびＹ方向（上下方向）測色基準面Ｓ1 に対応する位置にある。
【００６８】
測色治具８０に義歯５０を装着する場合、測色治具６０の場合と同様に凹部５０ｃにワックス５１を充填した状態の義歯５０を支台ポスト８２の尖鋭状凸部８２ｂに差し込む。そこで、基準プレート８３を支台プレート８１下面，支台ポスト８２の当接面８２ａにそれぞれ磁力により密着させる。従って、基準プレート８３は手で保持する必要はない。
【００６９】
上記基準プレート８３の密着状態で義歯５０の前面部５０ａが基準プレート８３の測色基準面８３ａの当接していることを確認し、離れているときは、当接させる。また、義歯５０の切縁部５０ｂを測色基準面８３ｂに一致するように揃える。上記義歯５０の位置調整終了後、基準プレート８３を測色治具８０から取り外す。
【００７０】
義歯５０の位置調整がなされた測色治具８０を暗箱に取り付け、第一実施形態の場合と同様に測色治具８０をコンタクトキャップ３１の先端のバイト部３１ｅに位置決めして取り付けた撮影セット状態、詳しくは、ガイドポストの凸部（図示せず）をコンタクトキャップ３１の柱状凸部３１ｈに当接させ、かつ、該凸部の先端面とコンタクトキャップ３１の上辺部３１ｆに当接させたセット状態とする。この撮影セット状態では、義歯５０の前面部（カメラ側）５０ｂは、ＹＸ平面上の光軸Ｏ上、カメラ２の光軸方向基準面Ｓ0 上に位置し、カメラ２のベストピント位置Ｐ0に近いところ、言い換えると、撮影光学系１８の被写界深度の範囲にある。同時に義歯５０の切縁部５０ｂは、カメラ２のＹ方向（上下方向）測色基準面Ｓ1 に位置し、義歯５０全体がコンタクトキャップ３１の開口部３１ａ内、言い換えると、カメラトップカバー１２の撮影窓部（開口部）１２ａ）内の撮影範囲内に位置しており、カメラ２による義歯５０の測色撮影が可能となる。
【００７１】
上述した本実施形態の測色治具８０を適用すると、前記第一実施形態の効果と同様の効果を奏し、特に本実施形態の場合は、義歯５０の位置調整時、基準プレート８３がマグネットの磁力で測色治具８０の所定の位置に密着されて保持されるので基準プレート８３を手で保持する必要がなく、義歯５０の調整がやりやすい。
【００７２】
次に、本発明の第三の実施形態である歯科用測色治具システムを構成する測色治具について、図１７〜１９を用いて説明する。図１７は、本実施形態の測色治具の支台ポストに基準プレートを当て付けた状態（義歯位置調整状態）を示す光軸に沿った断面図である。図１８は、図１７のＢ矢視図である。図１９は、図１７の測色治具において、支台ポストの前面から基準プレートを退避させた状態を示す光軸に沿った断面図である。
【００７３】
本実施形態の測色治具９０は、第一実施形態における測色治具６０と異なり、支台プレートにＹ方向（上下方向）にスライド移動が可能な基準プレートを備えている。その他の構成、すなわち、支台プレート、一対のガイドポスト、支台ポストなどは、測色治具６０と同様のものが設けられ、暗箱も第一の実施形態の暗箱６５と同様のものを適用する。以下、異なる部分についてのみ説明する。
【００７４】
本実施形態の測色治具９０の支台ポスト９２にも根元部（カメラ側）に形成される、光軸方向位置決め用の測色基準面となる当接面９２ａと、測色撮影状態にて中心が光軸Ｏ上に位置する義歯装着部としての尖鋭状凸部９２ｂとが設けられている。
【００７５】
測色治具９０の支台プレート９１には義歯位置調整用部材として図１７，１９に示すように支台ポスト９２の前面側（カメラ側）にＹ方向にスライド移動が可能な基準プレート９３が配されている。
【００７６】
基準プレート９３は、光軸方向の測色基準面９３ａと、Ｙ方向（上下方向）の測色基準面９３ｂとを有しており、支台ポスト９２の当接面９２ａに接触しながら支台プレート９１のガイド孔にＹ方向に摺動可能な状態で嵌合している。基準プレート９３をＹ方向の下方向に移動させ、ストッパ９３ｃを支台プレート９１に当接させた調整位置状態では、先端の測色基準面９３ｂは、ガイドポストの凸部（図示せず）の先端面と同一面上にあり、図１７，１８に示すように上記撮影セット状態でのカメラ２の上下方向の測色基準面Ｓ1 に位置する。測色基準面９３ａは、支台ポスト９２の当接面９２ａに当接しており、上記撮影セット状態でのカメラ２の光軸方向の測色基準面Ｓ0 に位置する。
【００７７】
測色治具９０に義歯５０を装着する場合、測色治具６０の場合と同様に凹部５０ｃにワックス５１を充填した状態の義歯５０を支台ポスト９２の尖鋭状凸部９２ｂに差し込む。そこで、支台ポスト９２の当接９２ａに当て付けた状態で基準プレート９３を上述したように下方にストッパ９３ｃが支台プレート９１に当接するまで押し下げる。
【００７８】
義歯５０の前面部５０ａが基準プレート９３の測色基準面９３ａに当接していることを確認し、離れているときは、当接させる。また、義歯５０の切縁部５０ｂを測色基準面９３ｂに揃える。上記義歯５０の位置調整終了後、基準プレート９３を上方のＤ1 方向にスライドさせ、義歯５０の前面（カメラ側）から退避させる（図１９）。
【００７９】
義歯５０の位置調整がなされた測色治具９０を暗箱に取り付け、第一実施形態の場合と同様に測色治具９０をコンタクトキャップ３１の先端のバイト部３１ｅに位置決めして取り付けた撮影セット状態とする。このセット状態でカメラ２による義歯５０の測色撮影が行われる。
【００８０】
上述した本実施形態の測色治具９０を適用すると、前記第一実施形態の効果と同様の効果を奏し、特に本実施形態の場合は、基準プレート９３が支台プレート９１にスライド可能な状態で取り付けられているので取り扱い性がよく、基準プレート９３を支台ポスト９２の前方にスライド移動させて義歯５０の位置の調整を行うことができる。そのため、義歯５０の調整作業が行いやすいという利点がある。
【００８１】
次に、本発明の第四の実施形態である歯科用測色治具システムを構成する測色治具について、図２０，２１を用いて説明する。図２０は、本実施形態の測色治具の支台ポストに基準プレートを当て付けた状態（義歯位置調整状態）を示す光軸に沿った断面図である。図２１は、図２０の測色治具において、支台ポストの前面から基準プレートを取り外した状態を示す光軸に沿った断面図である。
【００８２】
本実施形態の測色治具１００は、第一実施形態における測色治具６０と異なり、支台ポストに着脱可能なＬ字状の基準プレートを備えている。その他の構成、すなわち、支台プレート、一対のガイドポスト、支台ポストなどは、測色治具６０と同様のものが設けられ、暗箱も第一の実施形態の暗箱６５と同様のものを適用する。以下、異なる部分についてのみ説明する。
【００８３】
本実施形態の測色治具１００においても第一実施形態の場合と同様に支台ポスト１０２にはその根元部（カメラ側）に形成される、光軸方向位置決め用の測色基準面となる当接面１０２ａと、測色撮影状態にて中心が光軸Ｏ上に位置する義歯装着部としての尖鋭状凸部１０２ｂとが設けられている。
【００８４】
測色治具１００には義歯位置調整用部材として図２０，２１に示すように支台プレート１０１上の支台ポスト１０２の前面側（カメラ側）に着脱可能な基準プレート１０３が用意されている。
【００８５】
基準プレート１０３は、Ｌ字状の形状を有している。ここで、Ｙ方向起立部の内面が光軸方向の測色基準面１０３ａとなり、Ｌ字状先端部の内側がＹ方向の測色基準面１０３ｂとなる。支台プレート１０１の下面に一方の端面を当接させ、支台ポスト１０２の当接面１０２ａに測色基準面１０３ａを密着させて測色治具１００に装着する。その装着状態で図２０に示すように測色基準面１０３ａは、支台ポスト１０２の当接面１０２ａに当接しており、上記撮影セット状態でカメラ２の光軸方向の測色基準面Ｓ0 に位置する。Ｌ字状先端部の測色基準面１０３ｂは、ガイドポストの凸部（図示せず）の先端面と一致し、上記撮影セット状態でカメラ２の上下方向の測色基準面Ｓ1 に位置する。
【００８６】
測色治具１００に義歯５０を装着する場合、基準プレート１０３を測色治具１００から外した状態で測色治具６０の場合と同様に凹部５０ｃにワックス５１を充填した状態の義歯５０を支台ポスト１０２の尖鋭状凸部１０２ｂに差し込む。そこで、基準プレート１０３を測色治具１００の支台プレート１０１の下面に当接させ、かつ、支台ポスト１０２の当接１０２ａに当て付けた装着状態とする。
【００８７】
上記基準プレート１０３の当て付け状態を手で保持しながら義歯５０の前面部５０ａが基準プレート１０３の測色基準面１０３ａの当接していることを確認し、離れているときは、当接させる。また、義歯５０の切縁部５０ｂを測色基準面１０３ｂに当接するように位置調整する。上記義歯５０の位置調整終了後、基準プレート１０３をＤ2 側に移動させて測色治具１００から取り外す（図２１）。
【００８８】
義歯５０の位置調整がなされた測色治具１００を暗箱に取り付け、第一実施形態の場合と同様に測色治具１００をコンタクトキャップ３１の先端のバイト部３１ｅに位置決めして取り付けた撮影セット状態とする。このセット状態でカメラ２による義歯５０の測色撮影が行われる。
【００８９】
上述した本実施形態の測色治具１００によると、前記第一実施形態の効果と同様の効果を奏し、特に本実施形態の場合は、基準プレート１０３に義歯５０を当て付け可能な光軸方向と上下方向の両方の測色基準面が設けられているので義歯５０の位置調整の作業が行いやすく、しかも、正確な位置調整が可能となる。
【００９０】
次に、本発明の第五の実施形態である歯科用測色治具システムを構成する測色治具について、図２２〜２３を用いて説明する。図２２は、本実施形態の測色治具の支台ポストに基準プレートを装着した状態（義歯位置調整状態）を示す光軸に沿った断面図である。図２３は、図２２の測色治具において、支台ポストの前面から基準プレートを取り外した状態を示す光軸に沿った断面図である。
【００９１】
本実施形態の測色治具１１０は、第一実施形態における測色治具６０と異なり、基準プレートがピン嵌合により装着されている。その他の構成、すなわち、支台プレート、一対のガイドポスト、支台ポストなどは、測色治具６０と同様のものが設けられ、暗箱も第一の実施形態の暗箱６５と同様のものを適用する。以下、異なる部分についてのみ説明する。
【００９２】
本実施形態の測色治具１１０の支台ポスト１１２にも根元部（カメラ側）に形成される、光軸方向位置決め用の測色基準面となる当接面１１２ａと、測色撮影状態にて中心が光軸Ｏ上に位置する義歯装着部としての尖鋭状凸部１１２ｂとが設けられている。当接面１１２ａには、位置決めピン（嵌合部）１１２ｃが設けられている。
【００９３】
また、測色治具１１０には義歯位置調整用部材として図１７，１９に示すように支台プレート１１１の支台ポスト１１２の前面側（カメラ側）にピン嵌合により装着可能な基準プレート１１３が用意されている。
【００９４】
基準プレート１１３は、光軸方向の測色基準面１１３ａと、Ｙ方向の測色基準面１１３ｂと、支台ポスト１１２の位置決めピン１１２ｃと嵌合するピン穴１１３（嵌合部）ｃとを有している。基準プレート１１３は、ピン穴１１３ｃと位置決めピン１１２ｃにより嵌合されて、支台ポスト１１２の当接面１１２ａに位置決め状態で装着される。上記位置決め状態では、基準プレート１１３の先端の測色基準面１１３ｂは、ガイドポストの凸部（図示せず）の先端面と同一面上にあり、図２２に示すように撮影セット状態におけるカメラ２の上下方向の測色基準面Ｓ1 に位置する。また、測色基準面１１３ａは、支台ポスト１１２の当接面１１２ａに当接しいるので撮影セット状態におけるカメラ２の光軸方向の測色基準面Ｓ0 に位置する。
【００９５】
測色治具１１０に義歯５０を装着する場合、測色治具６０の場合と同様に凹部５０ｃにワックス５１を充填した状態の義歯５０を支台ポスト１１２の尖鋭状凸部１１２ｂに差し込む。その上で、義歯５０の前面部５０ａを、支台ポスト１１２の当接面１１２ａにおけるピン嵌合により装着保持された基準プレート１１３の測色基準面１１３ａに対して当接させる。また、義歯５０の切縁部５０ｂを測色基準面１１３ｂに揃える。上記義歯５０の位置調整終了後、基準プレート１１３をＤ3 方向に移動させ、測色治具６０から取り外す（図２３）。
【００９６】
義歯５０の位置調整がなされた測色治具１１０を暗箱に取り付け、第一実施形態の場合と同様に測色治具１１０をコンタクトキャップ３１の先端のバイト部３１ｅに位置決めした撮影セット状態とする。このセット状態でカメラ２による義歯５０の測色撮影が行われる。
【００９７】
上述した本実施形態の測色治具１１０を適用すると、前記第一実施形態の効果と同様の効果を奏し、特に本実施形態の場合は、義歯５０の位置調整時、基準プレート１１３を支台ポスト１１２に対して手で押さえ付けることなく保持することができるので、義歯５０の調整作業が行いやすい。
【００９８】
次に、本発明の第六の実施形態である歯科用測色治具システムを構成する測色治具について、図２４，２５を用いて説明する。図２４は、本実施形態の測色治具の支台ポストに基準プレートを当て付けた状態（義歯位置調整状態）を示す光軸に沿った断面図である。図２５は、図２４の測色治具にて、基準プレートを退避させた状態を示す光軸に沿った断面図である。
【００９９】
本実施形態の測色治具１２０は、第一実施形態における測色治具６０の支台ポストに対して回動可能な基準プレートを備えている点が異なっている。その他の構成、すなわち、支台プレート、一対のガイドポスト、支台ポストなどは、測色治具６０と同様のものが設けられ、暗箱も第一の実施形態の暗箱６５と同様のものを適用する。以下、異なる部分についてのみ説明する。
【０１００】
本実施形態の測色治具１２０においても第一実施形態の場合と同様に支台ポスト１２２には根元部（カメラ側）に形成される、光軸方向位置決め用の測色基準面となる当接面１２２ａと、測色撮影状態にて中心が光軸Ｏ上に位置する義歯装着部としての尖鋭状凸部１２２ｂとが設けられている。
【０１０１】
測色治具１２０の支台プレート１２１には義歯位置調整用部材として図２４，２５に示すように支台ポスト前面（カメラ側）の調整位置と該前面から退避した退避位置に回動可能な基準プレート１２３が支持軸１２４により支持されている。
【０１０２】
基準プレート１２３は、Ｌ字状の形状を有している。ここで、起立腕部内面が光軸方向の測色基準面１２３ａとなり、Ｌ字状先端部の内面がＹ方向の測色基準面１２３ｂとなる。基準プレート１２３は、Ｕ字状の付勢バネ１２５により二方向に切り換え付勢されており、基準プレート１２３を反時計回りに所定位置まで回動操作すると同方向に付勢されて図２４の起立位置状態（義歯位置調整状態）となる。基準プレート１２３を図２４の調整位置状態から所定位置まで時計回り（Ｄ4 方向に）に回動操作すると、同方向に付勢されて支台プレート側ストッパ１２１ａに当接し、図２５の退避位置状態となる。
【０１０３】
基準プレート１２３は、図２４の状態では、測色基準面１２３ａが支台ポスト１２２の当接面１２２ａに当接しており、測色基準面１２３ａは、撮影セット状態におけるカメラ２の光軸方向の測色基準面Ｓ0 に位置する。Ｌ字状先端部の測色基準面１２３ｂは、ガイドポストの凸部（図示せず）の先端面と同一面上にあり、カメラ２の上下方向の測色基準面Ｓ1 に位置する。
【０１０４】
測色治具１２０に義歯５０を装着する場合、基準プレート１２３を時計回りに回動操作して図２５の状態のように退避させ、凹部５０ｃにワックス５１を充填した状態の義歯５０を支台ポスト１２２の尖鋭状凸部１２２ｂに差し込む。そして、基準プレート１２３を反時計回りに回動操作して図２４の義歯位置調整状態とする。
【０１０５】
図２４の状態で義歯５０の前面部５０ａが基準プレート１２３の測色基準面１２３ａの当接していることを確認し、離れているときは、当接させる。また、義歯５０の切縁部５０ｂを測色基準面１２３ｂに当接するように位置調整する。上記義歯５０の位置調整終了後、基準プレート１２３を時計回りに回動操作して図２５のように義歯５０の前面から退避させる。
【０１０６】
義歯５０の位置調整がなされた測色治具１２０を暗箱に取り付け、第一実施形態の場合と同様に測色治具１２０をコンタクトキャップ３１の先端のバイト部３１ｅに位置決めして取り付けた撮影セット状態とする。このセット状態でカメラ２による義歯５０の測色撮影が行われる。
【０１０７】
上述した本実施形態の測色治具１２０によると、前記第一実施形態の効果と同様の効果を奏し、特に本実施形態の場合は、基準プレート１２３に光軸方向と上下方向の両方の測色基準面によって義歯の正確な位置調整を行うことができ、さらに、基準プレート１２３が起立位置（義歯位置調整位置）と退避位置とのいずれにも回動付勢されるので基準プレート１２３の操作が簡単であり、また、基準プレート１２３から手を離した状態でも義歯５０の位置調整ができるので、調整作業が行いやすい。
【０１０８】
次に、本発明の第七の実施形態である歯科用測色治具システムを構成する測色治具について、図２６〜２９を用いて説明する。図２６は、本実施形態の測色治具の義歯装着状態（基準プレート起立、支台ポスト後退状態）における光軸に沿った断面図である。図２７は、図２６のＣ矢視図である。図２８は、図２６の測色治具の義歯位置調整状態における光軸に沿った断面図である。図２９は、上記測色治具の基準プレート退避状態における光軸に沿った断面図である。
【０１０９】
本実施形態の測色治具１３０は、第一実施形態における測色治具６０に対してスライド可能な支台ポストと回動可能な基準プレートとを備えている点が異なっている。その他の構成、すなわち、支台プレート、一対のガイドポストは、測色治具６０と同様のものが設けられ、暗箱も第一の実施形態の暗箱６５と同様のものを適用する。以下、異なる部分についてのみ説明する。
【０１１０】
本実施形態の測色治具１３０の支台ポスト１３２は、ポスト基部１３２ａが支台プレート１３１のガイド溝１３１ａにガイドされ、光軸Ｏ方向に沿ってスライド移動可能に支持されている。これにより、支台ポスト１３２は、義歯装着位置である反カメラ側の後方位置（図２６）から調整位置であるカメラ側の前方位置（図２８）間を移動可能となっている。なお、支台ポスト１３２にも測色撮影状態にて中心が光軸Ｏ上に位置する義歯装着部としての尖鋭状凸部１３２ｂが設けられている。
【０１１１】
また、測色治具１３０の支台プレート１３１には義歯位置調整用部材として図２６に示すように支台ポスト前方（カメラ側）の起立位置（調整位置）から退避位置に回動可能な基準プレート１３３が支持軸１３４によって支持されている。
【０１１２】
基準プレート１３３は、Ｌ字状の形状を有しており、腕部内面の光軸方向測色基準面１３３ａと、Ｌ字状先端部内面のＹ方向測色基準面１３３ｂとを有する。基準プレート１３３が起立位置状態（図２６，２８）にあるときは、測色基準面１３３ａの下部が支台プレート１３１の溝面に当接しており、測色基準面１３３ａが測色撮影状態におけるカメラ側の光軸方向の測色基準面Ｓ0 に位置する。また、Ｌ字状先端部の測色基準面１３３ｂは、ガイドポスト６３，６４の凸部の先端面と同一面上にあり、カメラ側の上下方向の測色基準面Ｓ1 に位置する。
【０１１３】
測色治具１３０に義歯５０を装着する場合、図２６に示すように基準プレート１３３を起立させ、かつ、支台ポスト１３２を光軸Ｏ方向に後退させた状態とし、測色治具６０の場合と同様に凹部５０ｃにワックス５１を充填した状態の義歯５０を支台ポスト１３２の尖鋭状凸部１３２ｂに差し込む。
【０１１４】
支台ポスト１３２を前方（カメラ側）Ｄ5 方向に前進させ、図２８に示すように義歯５０の前面部５０ａを基準プレート１３３の測色基準面１３３ａに当接させる。そして、義歯５０の切縁部５０ｂを測色基準面１３３ｂに当接するように位置調整する。上記義歯５０の位置調整終了後、基準プレート１３３を時計回りに回動操作して図２９のように義歯５０の前面から退避させる。
【０１１５】
義歯５０の位置調整がなされた測色治具１３０を暗箱に取り付け、第一実施形態の場合と同様に測色治具１３０をコンタクトキャップ３１の先端のバイト部３１ｅに位置決めして取り付けた撮影セット状態とする。このセット状態でカメラ２による義歯５０の測色撮影が行われる。
【０１１６】
上述した本実施形態の測色治具１３０によると、前記第一実施形態の効果と同様の効果を奏し、特に本実施形態の場合は、支台ポスト１３２を光軸Ｏ方向の義歯装着位置に後退させて、義歯５０を装着後、調整位置にスライド移動させ、起立位置にある基準プレート１３３に義歯を当て付けて位置調整を行うことができるので、カメラ側の測色基準面Ｓ0 、Ｓ1 に対する義歯位置調整作業が行いやすい。
【０１１７】
なお、基準プレート１３３に第六の実施形態の場合とＵ字状の付勢バネ１２５を装着し、二方向に切り換え付勢するように構成してもよい。
【０１１８】
次に、本発明の第八の実施形態である歯科用測色治具システムを構成する測色治具について、図３０〜３２を用いて説明する。図３０は、本実施形態の測色治具の義歯装着状態（基準プレート起立、支台ポスト後退状態）における光軸に沿った断面図である。図３１は、図３０の測色治具の義歯位置調整状態における光軸に沿った断面図である。図３２は、図３０の測色治具の基準プレート退避状態における光軸に沿った断面図である。
【０１１９】
本実施形態の測色治具１４０は、第一実施形態における支台プレートに対して回動可能な支台ポストと回動可能な基準プレートを備えている点が異なっている。その他の構成、すなわち、支台プレート、一対のガイドポストは、測色治具６０と同様のものが設けられ、暗箱も第一の実施形態の暗箱６５と同様のものを適用する。以下、異なる部分についてのみ説明する。
【０１２０】
本実施形態の測色治具１４０の支台ポスト１４２は、支台プレート１４１に支持軸１４４により支持され、義歯装着位置である反カメラ側の後方位置（図３０）と調整位置であるカメラ側の前方位置（図３１）とに回動可能に構成されている。また、測色撮影状態にて中心が光軸Ｏ上に位置する義歯装着部としての尖鋭状凸部１４２ｂを有している。
【０１２１】
また、測色治具１４０の支台プレート１４１には、義歯位置調整用部材としての基準プレート１４３が支持軸１４５によって支持されている。具体的には、基準プレート１４３は、図３１，３２に示すように、支台ポスト１４２の前方の調整位置である起立位置から退避位置に回動可能に支持されている。
【０１２２】
基準プレート１４３は、Ｌ字状の形状を有しており、腕部内面の光軸方向測色基準面１４３ａと、Ｌ字状先端部内面のＹ方向の測色基準面１４３ｂを有する。基準プレート１４３の起立位置（図３０，３１）にあるときは、測色基準面１４３ａの下部が支台プレート１４１の溝面に当接し、測色基準面１４３ａが測色撮影状態におけるカメラ側の光軸方向の測色基準面Ｓ0 に位置する。また、Ｌ字状先端部の測色基準面１４３ｂは、ガイドポストの凸部（図示せず）の先端面と同一面上にあり、カメラ側の上下方向の測色基準面Ｓ1 に位置する。
【０１２３】
測色治具１４０に義歯５０を装着する場合、図３０に示すように基準プレート１４３を起立させ、かつ、支台ポスト１４２を後方位置に倒した状態とし、測色治具６０の場合と同様に凹部５０ｃにワックス５１を充填した状態の義歯５０を支台ポスト１４２の尖鋭状凸部１４２ｂに差し込む。
【０１２４】
支台ポスト１４２をＤ8 方向に回動させて起立状態とし（図３１）、義歯５０の前面部５０ａを基準プレート１４３の測色基準面１４３ａに当接させる。また、義歯５０の切縁部５０ｂを測色基準面１４３ｂに当接するように位置調整する。上記義歯５０の位置調整終了後、基準プレート１４３を時計回りＤ9 方向に回動操作して図３２のように義歯５０の前面から退避させる。
【０１２５】
義歯５０の位置調整がなされた測色治具１４０を暗箱に取り付け、第一実施形態の場合と同様に測色治具１４０をコンタクトキャップ３１の先端のバイト部３１ｅに位置決めして取り付けた撮影セット状態とする。このセット状態でカメラ２による義歯５０の測色撮影が行われる。
【０１２６】
上述した本実施形態の測色治具１４０によると、前記第一実施形態の効果と同様の効果を奏し、特に本実施形態の場合は、支台ポスト１４２を回動操作して退避させて、義歯５０を装着し、さらに、起立位置にある基準プレート１４３に当接させることによってカメラ側の測色基準面Ｓ0 、Ｓ1 に対する義歯位置調整を行うことができるので、義歯装着および調整作業が行いやすい。
【０１２７】
なお、基準プレート１４３に第六の実施形態の場合とＵ字状の付勢バネ１２５を装着し、二方向に切り換え付勢するように構成してもよい。
【０１２８】
次に、本発明の第九の実施形態である歯科用測色治具システムを構成する測色治具について、図３３〜３５を用いて説明する。図３３は、本実施形態の測色治具の義歯装着状態（基準プレート起立、支台ポスト後退状態）における光軸に沿った断面図である。図３４は、図３３の測色治具の義歯位置調整状態における光軸に沿った断面図である。図３５は、図３３の測色治具の基準プレート退避状態における光軸に沿った断面図である。
【０１２９】
本実施形態の測色治具１５０は、第一実施形態における測色治具６０に対して回動可能な支台ポストと回動可能な基準プレートを備えている点が異なっており、装着される義歯が異形のものに対しても適用可能とする。その他の構成、すなわち、支台プレート、一対のガイドポストは、測色治具６０と同様のものが設けられ、暗箱も第一の実施形態の暗箱６５と同様のものを適用する。以下、異なる部分についてのみ説明する。
【０１３０】
本実施形態の測色治具１５０に装着可能な義歯５２は、図３３に示すように凹部５２ｃが屈曲して形成されており、例えば、第一の実施形態の測色治具６０の支台ポスト６２に装着が困難である異形の義歯であるが測色治具１５０を適用することにより上記異形の義歯の測色撮影を行うことができる。
【０１３１】
測色治具１５０の支台ポスト１５２は、支台プレート１５１に支持軸１５４により回動可能に支持されるポスト台１５３と、該ポスト台によって支持軸１５６を介して支持され、尖鋭状凸部を有する義歯装着部１５５とからなる。ポスト台１５３を回動操作すると義歯装着部１５５を義歯装着位置である反カメラ側の後方位置（図３３）と調整位置であるカメラ側の前方位置（撮影位置、図３４）とに回動移動させることができる。なお、義歯装着部１５５のポスト台１５３に対する相対位置は、ポスト台１５３に配されるネジ部材１５８のねじ込み位置によりバネ１５７の付勢力に抗して回動させることによって調整することができる。装着される義歯５２の形状によって上記義歯装着部１５５の位置調整を行い、義歯５２が適切な位置に保持できるようになっている。
【０１３２】
また、測色治具１５０の支台プレート１５１には義歯位置調整用部材として図３３，３５に示すように支台ポスト前方（カメラ側）の調整位置である起立位置から退避位置に回動可能な基準プレート１６１が支持軸１６２によって支持されている。
【０１３３】
基準プレート１６１は、Ｌ字状の形状を有しており、腕部内面の光軸方向測色基準面１６１ａと、Ｌ字状先端部内面のＹ方向の測色基準面１６１ｂを有する。基準プレート１６１の起立位置状態（図３４）では、測色基準面１６１ａの下部が支台プレート１５１の切り欠き溝面に当接し、測色基準面１６１ａが撮影セット状態におけるカメラの光軸方向の測色基準面Ｓ0 に位置する。また、Ｌ字状先端部の測色基準面１６１ｂは、ガイドポストの凸部（図示せず）の先端面と同一面上にあり、撮影セット状態におけるカメラの上下方向の測色基準面Ｓ1 に位置する。
【０１３４】
測色治具１５０に義歯５２を装着する場合、図３３に示すように基準プレート１６１を起立させ、かつ、支台ポスト１５２を後方位置に倒した状態とし、測色治具６０の場合と同様に凹部５２ｃにワックス５３を充填した状態の義歯５２を支台ポスト１５２の義歯装着部１５５に差し込む。
【０１３５】
続いて、図３４に示すように支台ポスト１５２を前方Ｄ10方向に回動させ、義歯５２の前面部５２ａを基準プレート１６１の測色基準面１６１ａに当接させる。さらに、義歯５２の切縁部５２ｂを測色基準面１６１ｂに当接するように位置調整する。上記義歯５２の位置調整終了後、基準プレート１６１を時計回りＤ11方向に回動操作して図３５のように義歯５２の前面から退避させる。
【０１３６】
義歯５２の位置調整がなされた測色治具１５０を暗箱に取り付け、第一実施形態の場合と同様に測色治具１５０をコンタクトキャップ３１の先端のバイト部３１ｅに位置決めして取り付けた撮影セット状態とする。このセット状態でカメラ２による義歯５２の測色撮影が行われる。
【０１３７】
上述した本実施形態の測色治具１５０によると、前記第一実施形態の効果と同様の効果を奏し、特に本実施形態の場合は、支台ポスト１５２に支持される義歯装着部１５５には、異形の義歯５２が装着可能であり、測色治具１５０により該義歯５２の測色撮影が可能である。そして、義歯５２の凹部５２ｃの形状に応じてポスト台１５２に対する義歯装着部１５５の相対位置を調整して義歯５２を適切な撮影位置にセット可能となる。同時に基準プレート１６１の起立状態でカメラ側の測色基準面Ｓ0 、Ｓ1 に対する義歯位置調整を行うことができるので、調整作業が行いやすい。
【０１３８】
なお、基準プレート１６１に第六の実施形態の場合とＵ字状の付勢バネ１２５を装着し、二方向に切り換え付勢するように構成してもよい。
【０１３９】
次に、本発明の第十の実施形態である歯科用測色治具システムを構成する測色治具について、図３６，３７を用いて説明する。図３６は、本実施形態の測色治具においてロータリインデックステーブル上の支台ポストの前方にに基準プレートを位置させた状態（義歯位置調整状態）を示す光軸に沿った断面図である。図３７は、図３６のＥ矢視図であって、上記測色治具のロータリインデックステーブル上の支台ポストの配置を示す。
【０１４０】
本実施形態の測色治具１７０は、第一実施形態における測色治具６０と異なり、支台プレート上に複数の支台ポストとガイドポストを配したロータリインデックステーブルを有し、かつ、Ｙ方向（上下方向）にスライド可能な基準プレートを備えている。一対のガイドポスト、支台ポスト自体は、測色治具６０と同様のものが設けられ、暗箱も第一の実施形態の暗箱６５と同様のものを適用する。以下、異なる部分についてのみ説明する。
【０１４１】
本実施形態の測色治具１７０の支台プレート１７１に設けられるロータリインデックステーブル（以下、ロータリテーブルと記載する）１７２には、支台ポスト１７３，１７４，１７５および各支台ポストの両側に配される一対のガイドポスト６３，６４が三分割位置に配されている。ロータリテーブル１７２の前面側（カメラ側）には、Ｙ方向にスライド移動可能な義歯位置調整用部材として基準プレート１７６が配されている。
【０１４２】
支台ポスト１７３，１７４，１７５は、それぞれ同一形状を有しており、それぞれの測色撮影状態にて中心が光軸Ｏ上に位置する義歯装着部としての尖鋭状凸部１７３ｂ，１７４ｂ，１７５ｂが設けられている。
【０１４３】
ガイドポスト６３，６４は、第一の実施形態の測色治具６０に設けられるガイドポスト６３，６４と同一形状のものである。
【０１４４】
基準プレート１７６は、光軸方向の測色基準面１７６ａと、Ｙ方向の測色基準面１７６ｂとを有しており、支台プレート１７１のガイド孔に対してＹ方向に摺動可能な状態で嵌合し、支持されている。基準プレート１７６をＹ方向の下方向に移動させ、ストッパ１７６ｃを支台プレート１７１に当接させた調整位置状態では、先端の測色基準面１７６ｂは、ガイドポスト１６３，１６４の凸部（図示せず）の先端面と同一面上にあって、図３６に示すように上記撮影セット状態でのカメラ２の上下方向の測色基準面Ｓ1 に位置する。測色基準面１７６ａは、上記撮影セット状態でのカメラ２の光軸方向の測色基準面Ｓ0 に位置する。
【０１４５】
測色治具１７０には３つの義歯５０Ａ，５０Ｂ，５０Ｃが装着され、それぞれの位置調整が行われる。まず、義歯５０Ａを測色治具６０の場合と同様に凹部５０Ａｃにワックス５１を充填した状態の義歯５０Ａを支台ポスト１７３の尖鋭状凸部１７３ｂに差し込み、ロータリテーブル１７２を回動駆動して支台ポスト１７３を支台プレート１７１の前面側（カメラ側）に位置させる。そこで、基準プレート１７６を上述したようにストッパ１７６ｃが支台プレート１７１に当接する調整位置まで下方に押し下げる。
【０１４６】
上記基準プレート押し下げ状態で義歯５０Ａの前面部５０Ａａが基準プレート１７６の測色基準面１７６ａに当接していることを確認し、離れているときは、当接させる。また、義歯５０Ａの切縁部５０Ａｂを測色基準面１７６ｂに揃える。続いて、義歯５０Ｂおよび５０Ｃも同様に支台ポスト１７４，１７５の尖鋭状凸部１７４ｂ，１７５ｂに装着し、ロータリテーブル１７２を回動駆動して基準プレート１７６の前面に位置させ、同様に各義歯位置調整を行う。
【０１４７】
義歯５０Ａ，５０Ｂ，５０Ｃそれぞれの位置調整終了後には、基準プレート１７６を上方のＤ12方向にスライドさせ、義歯の前面（カメラ側）から退避させる。
【０１４８】
上記各義歯の位置調整がなされた測色治具１７０を暗箱に取り付け、ロータリテーブル１７２を回動駆動して義歯５０Ａ，５０Ｂ，５０Ｃの１つを光軸Ｏ上の位置にセットする。そこで、第一実施形態の場合と同様に測色治具１７０をコンタクトキャップ３１の先端のバイト部３１ｅに位置決めして取り付けた撮影セット状態とし、カメラ２による測色撮影を行う。続いて、カメラ２を退避させて、ロータリテーブル１７２を回動駆動して他の義歯を光軸Ｏ上の位置のセットした上で、同様にカメラ２による測色撮影を行う。
【０１４９】
上述した本実施形態の測色治具システムを適用すると、前記第一実施形態の効果と同様の効果を奏し、特に本実施形態の場合は、複数の義歯をロータリテーブル１７２上に配した複数の支台ポストに装着することによって該測色治具を一回、暗箱に取り付ければ、上記複数の義歯の測色撮影を行うことができ、撮影に要する時間を短縮することができる。
【０１５０】
なお、上述した測色治具１７０では、複数の支台ポストをロータリテーブル１７２上に配した構成を適用したが、これに替えてＸ方向（左右方向）にスライド可能なテーブルに複数の支台ポストをＸ方向に沿って配置する構成を適用することも可能である。
【０１５１】
この発明は、上記各実施の形態に限ることなく、その他、実施段階ではその要旨を逸脱しない範囲で種々の変形を実施し得ることが可能である。さらに、上記各実施形態には、種々の段階の発明が含まれており、開示される複数の構成要件における適宜な組合せにより種々の発明が抽出され得る。
【産業上の利用可能性】
【０１５２】
本発明による歯科用測色治具は、義歯を測色装置に対して適切な位置に安定して保持することができる歯科用測色治具として利用することができる。
【図面の簡単な説明】
【０１５３】
【図１】本発明の第一の実施形態の歯科用測色治具システムを構成する歯科用測色治具および測色用暗箱（暗箱本体の一部のみを示す）の分解斜視図である。
【図２】図１の歯科用測色治具の正面図（測色光軸方向からみた図）である。
【図３】図２の下面図である。
【図４】図２の側面図である。
【図５】図１の暗箱の分解斜視図である。
【図６】図１の歯科用測色治具システムを用いて義歯の測色を行うための歯科測色システムを構成する歯科用測色装置のカメラの斜視図である。
【図７】図６のカメラに歯測定用コンタクトキャップを被せた状態の側面図である。
【図８】図７のコンタクトキャップの斜視図である。
【図９】図７のコンタクトキャップの測色光軸に沿った縦断面図である。
【図１０】図９のＡ0 −Ａ0 断面図である。
【図１１】図１の歯科用測色治具に義歯を取り付けた義歯位置調整状態を示す測色光軸に沿った断面図である。
【図１２】図１１に示した義歯装着状態の歯科用測色治具を暗箱の取り付け、その後、上記歯科用測色装置のカメラ先端部を上記歯科用測色治具に嵌め込む直前の側面図である。
【図１３】上記カメラ先端部が上記歯科用測色治具に嵌め込まれた状態（測色撮影可能な状態）での側面図である。
【図１４】上記カメラ先端部が上記歯科用測色治具に嵌め込まれた状態（測色撮影可能な状態）の拡大断面図である。
【図１５】図１４のＡ1 −Ａ1 断面図であって、上記コンタクトキャップと上記歯科用測色治具との嵌め込み状態を示す。
【図１６】第二の実施形態の測色治具にて支台プレートと支台ポストに基準プレートを密着させた状態（義歯位置調整状態）を示す光軸に沿った断面図である。
【図１７】第三の実施形態の測色治具の支台ポストに基準プレートを当て付けた状態（義歯位置調整状態）を示す光軸に沿った断面図である。
【図１８】図１７のＢ矢視図である。
【図１９】図１７の測色治具において、支台ポストの前面から基準プレートを退避させた状態を示す光軸に沿った断面図である。
【図２０】第四の実施形態の測色治具の支台ポストに基準プレートを当て付けた状態（義歯位置調整状態）を示す光軸に沿った断面図である。
【図２１】図２０の測色治具において、支台ポストの前面から基準プレートを取り外した状態を示す光軸に沿った断面図である。
【図２２】第五の実施形態の測色治具の支台ポストに基準プレートを装着した状態（義歯位置調整状態）を示す光軸に沿った断面図である。
【図２３】図２２の測色治具において、支台ポストの前面から基準プレートを取り外した状態を示す光軸に沿った断面図である。
【図２４】第六の実施形態の測色治具の支台ポストに基準プレートを当て付けた状態（義歯位置調整状態）を示す光軸に沿った断面図である。
【図２５】図２４の測色治具にて、基準プレートを退避させた状態を示す光軸に沿った断面図である。
【図２６】第七の本実施形態の測色治具の義歯装着状態（基準プレート起立、支台ポスト後退状態）における光軸に沿った断面図である。
【図２７】図２６のＣ矢視図である。
【図２８】図２６の測色治具の義歯位置調整状態における光軸に沿った断面図である。
【図２９】上記測色治具の基準プレート退避状態における光軸に沿った断面図である。
【図３０】第八の実施形態の測色治具の義歯装着状態（基準プレート起立、支台ポスト後退状態）における光軸に沿った断面図である。
【図３１】図３０の測色治具の義歯位置調整状態における光軸に沿った断面図である。
【図３２】図３０の測色治具の基準プレート退避状態における光軸に沿った断面図である。
【図３３】第九の実施形態の測色治具の義歯装着状態（基準プレート起立、支台ポスト後退状態）における光軸に沿った断面図である。
【図３４】図３３の測色治具の義歯位置調整状態における光軸に沿った断面図である。
【図３５】図３３の測色治具の基準プレート退避状態における光軸に沿った断面図である。
【図３６】第十の実施形態の測色治具においてロータリインデックステーブル上の支台ポストの前方に基準プレートを位置させた状態（義歯位置調整状態）を示す光軸に沿った断面図である。
【図３７】図３６のＥ矢視図であって、上記測色治具のロータリインデックステーブル上の支台ポストの配置を示す。
【図３８】従来の義歯装着台を適用し、測色用カメラを用いて義歯の測色（撮影）を行う状態を示す図である。
【符号の説明】
【０１５４】
２  …カメラ（測色装置）
３１  …コンタクトキャップ（測色装置）
３１ｈ…柱状凸部（測色装置側の係合部）
６０，８０，９０，１００，１１０，
１２０，１３０，１４０，１５０，１７０
…測色治具
６２，８２，９２，１０２，１１２，
１２２，１３２，１４２，１５２
…支台ポスト
６２ａ，８２ａ，９２ａ，１０２ａ，
１１２ａ，１２２ａ
…支台ポストの測色光軸方向測色基準面
６３，６４…ガイドポスト
６３ａ，６４ａ
…ガイドポストの上下方向測色基準面
６５  …暗箱
７３，８３，９３，１０３，１１３，
１２３，１３３，１４３，１６１，１７６
…基準プレート
７３ａ，８３ａ，９３ａ，１０３ａ，
１１３ａ，１２３ａ，１３３ａ，
１４３ａ，１６１ａ，１７６ａ
…基準プレートの測色光軸方向測色基準面
７３ｂ，８３ｂ，９３ｂ，１０３ｂ，
１１３ｂ，１２３ｂ，１３３ｂ，
１４３ｂ，１６１ｂ，１７６ｂ
…基準プレートの上下方向測色基準面
８３  …基準プレート
（磁性体からなる基準プレート）
８４，８５…（磁石）
１２５…付勢バネ（二方向回動付勢手段）
１７２…ロータリインデックステーブル
（回転位置決め機能付き回転プレート）
Ｓ0 …測色光軸方向の測色基準面
Ｓ1 …上下方向の測色基準面
【図１】
2009160086.tif 000003
【図２】
2009160086.tif 000004
【図３】
2009160086.tif 000005
【図４】
2009160086.tif 000006
【図５】
2009160086.tif 000007
【図６】
2009160086.tif 000008
【図７】
2009160086.tif 000009
【図８】
2009160086.tif 000010
【図９】
2009160086.tif 000011
【図１０】
2009160086.tif 000012
【図１１】
2009160086.tif 000013
【図１２】
2009160086.tif 000014
【図１３】
2009160086.tif 000015
【図１４】
2009160086.tif 000016
【図１５】
2009160086.tif 000017
【図１６】
2009160086.tif 000018
【図１７】
2009160086.tif 000019
【図１８】
2009160086.tif 000020
【図１９】
2009160086.tif 000021
【図２０】
2009160086.tif 000022
【図２１】
2009160086.tif 000023
【図２２】
2009160086.tif 000024
【図２３】
2009160086.tif 000025
【図２４】
2009160086.tif 000026
【図２５】
2009160086.tif 000027
【図２６】
2009160086.tif 000028
【図２７】
2009160086.tif 000029
【図２８】
2009160086.tif 000030
【図２９】
2009160086.tif 000031
【図３０】
2009160086.tif 000032
【図３１】
2009160086.tif 000033
【図３２】
2009160086.tif 000034
【図３３】
2009160086.tif 000035
【図３４】
2009160086.tif 000036
【図３５】
2009160086.tif 000037
【図３６】
2009160086.tif 000038
【図３７】
2009160086.tif 000039
【図３８】
2009160086.tif 000040